(57)【要約】      （修正有）【課題】果実の果汁を効率よく搾り出せる上、コップ等の容器の上に載置した状態で果汁を搾り出せ、そのまま下の容器に果汁を滴下できる果実搾り器を提供する。【解決手段】果実を搾る突起３が外周面２０に設けられた山形状の搾り部２と、搾り部２によって搾り出された果実の果汁を直下で受容する果汁受け皿部５とを備え、果汁受け皿部５の下底面６０に果汁の滴下用通孔７が設けられており、容器の上に載置される果汁受け皿部５の滴下用通孔７を通じて、搾り出された果実の果汁が容器内に直接滴下自在である。【選択図】図１
0003220207.tif 000002
【実用新案登録請求の範囲】
【請求項１】
果実を搾る突起が外周面に設けられた山形状の搾り部と、その搾り部によって搾り出された果実の果汁を直下で受容する果汁受け皿部とを備えて成る果実搾り器であって、
前記果汁受け皿部の下底面に果汁の滴下用通孔が設けられており、容器の上に載置される果汁受け皿部の前記滴下用通孔を通じて、搾り出された果実の果汁が前記容器内に直接、滴下自在に構成されていることを特徴とする果実搾り器。
【請求項２】
前記果汁受け皿部の下底面の中央は下方に突き出た膨出部に形成され、その膨出部の下底面に滴下用通孔が複数設けられていると共に、前記滴下用通孔を含む膨出部を下方から着脱自在なキャップが設けられていることを特徴とする、請求項１に記載した果実搾り器。
【請求項３】
前記果汁受け皿部の膨出部は、載置される容器の上部開口に納まる大きさの円筒状に形成されていることを特徴とする、請求項２に記載した果実搾り器。
【請求項４】
前記果汁受け皿部の膨出部に着脱自在なキャップがシリコーンゴム製で成り、及び／又は前記果汁受け皿部の下面における膨出部の外周で、載置される容器の上部開口に当接する部位がシリコーンゴム製のリング状の滑り止め体で成ることを特徴とする、請求項２又は３に記載した果実搾り器。
【請求項５】
前記搾り部と果汁受け皿部とは別部材で構成され、前記搾り部の下部には脚部が複数設けられていると共に、前記果汁受け皿部には前記搾り部の脚部が嵌合自在な嵌合凹部が設けられていることを特徴とする、請求項１〜４のいずれか１項に記載した果実搾り器。
【請求項６】
前記山形状の搾り部は、全体が円錐形状に形成され、その外周面に設けられた突起が、頂部から下方に断続的に複数設けられ、各突起は同じ円周方向を向いて緩やかに湾曲して形成されていることを特徴とする、請求項１又は５に記載した果実搾り器。
【請求項７】
前記搾り部の突起は、当該搾り部の外周面において、高さを異にする上段ゾーン・中段ゾーン・下段ゾーンの各範囲で、それぞれ複数設けられていることを特徴とする、請求項１又は５又は６に記載した果実搾り器。
【考案の詳細な説明】
【技術分野】
【０００１】
本考案は家庭の食卓やレストランの店舗等で、グレープフルーツやレモン、オレンジ等の柑橘系の果実の果汁を搾り出す果実搾り器に係り、さらに言えば、コップ（グラス、カップ）類の容器（以下、本考案において単に「容器」ということがある）の上に載置した状態で果実の果汁を搾り、そのまま下の容器にその果汁を滴下するこができる果実搾り器の技術分野に関する。
【背景技術】
【０００２】
レモン等の果実の果汁搾り器は、従来より開発され種々公知に属する。
例えば、特開平１１―１９２１５８号公報（特許文献１）には、レモンを短軸方向に切断して形成されたレモン半体が嵌合される円錐台形状であって周面に沿って延びる複数の突条が周方向に適当な間隔をあけて設けられた絞り部が、底面の中央部に上方に突出するように設けられており、しかも、上面が開放された筒状に構成された容器本体と、容器本体の上端部に対して着脱可能になっており、容器本体に装着された際に容器本体の上面を覆うように下面が開放された筒状の蓋体と、この蓋体が容器本体に装着された際に、容器本体の絞り部に嵌合されたレモン半体に嵌合してレモン半体を押圧するように、蓋体と一体となって中空円錐台形状に構成された押圧体を有しており、押圧体の周面が、周方向に適当な間隔をあけて設けられた複数の押圧枠によって構成されている押圧体と、を具備することを特徴とするレモン絞り器が記載されている（同文献１の請求項１参照）。
【０００３】
また、前記特許文献１には、周面に沿って延びる複数の突条が周方向に適当な間隔をあけて設けられた円錐台形状の絞り部に、レモンを短軸方向に切断して形成されたレモン半体が嵌合されてレモン汁が絞り出されるようになっており、絞り部の頂上部に、嵌合されるレモンを位置決めする係止片が設けられていることを特徴とするレモン絞り器も記載されている（同文献１の請求項２参照）。
【先行技術文献】
【特許文献】
【０００４】
【特許文献１】特開平１１―１９２１５８号公報
【考案の概要】
【考案が解決しようとする課題】
【０００５】
前記特許文献１に記載されたレモン絞り器は、円錐台形状の絞り部に、
周面に沿って延び、周方向に適当な間隔をあけて設けられた複数の突条は、周面に沿って垂直方向にまっすぐ延びて設けられている。そのため、当該突条に半割りのレモンを左右に回転させても同じ果汁搾りの効果しか得られない。
また、このような従来タイプのレモン絞り器は、コップ等の容器の上に載置して果汁を搾り出し、下の容器にその果汁をそのまま滴下することは想定していない。
【０００６】
したがって、本考案が解決しようとする課題は、グレープフルーツ等の果実の果汁を効率よく容易に搾り出せる上、コップ等の容器の上に載置した状態で果実の果汁を搾り出せ、そのまま下の容器にその果汁を滴下するこができ使い勝手に優れて便利な果実搾り器を提供することにある。
【課題を解決するための手段】
【０００７】
上記課題を解決するための手段として、請求項１記載の考案の果実搾り器は、果実１を搾る突起３が外周面２０に設けられた山形状の搾り部２と、その搾り部２によって搾り出された果実１の果汁１０を直下で受容する果汁受け皿部５とを備えて成る果実搾り器であって、
前記果汁受け皿部５の下底面６０に果汁１０の滴下用通孔７が設けられており、容器１１の上に載置される果汁受け皿部５の前記滴下用通孔７を通じて、搾り出された果実１の果汁１０が前記容器１１内に直接、滴下自在に構成されていることを特徴とする。
【０００８】
請求項２に記載した考案の果実搾り器は、前記果汁受け皿部５の下底面６０の中央が下方に突き出た膨出部６に形成され、その膨出部６の下底面６０に滴下用通孔７が複数設けられていると共に、前記滴下用通孔７を含む膨出部６を下方から着脱自在なキャップ９が設けられていることを特徴とする。
【０００９】
請求項３に記載した考案の果実搾り器は、前記請求項２に記載した果汁受け皿部５の膨出部６が、載置される容器１１の上部開口１２に納まる大きさの円筒状に形成されていることを特徴とする。
【００１０】
請求項４に記載した考案の果実搾り器は、前記請求項２又は３に記載した果汁受け皿部５の膨出部６に着脱自在なキャップ９がシリコーンゴム製で成り、及び／又は前記果汁受け皿部５の下面における膨出部６の外周で、載置される容器１１の上部開口１２に当接する部位がシリコーンゴム製のリング状の滑り止め体５０で成ることを特徴とする。
【００１１】
請求項５に記載した考案の果実搾り器は、前記請求項１〜４のいずれか１項に記載した搾り部２と果汁受け皿部５とは別部材で構成され、前記搾り部２の下部には脚部４が複数設けられていると共に、前記果汁受け皿部５には前記搾り部２の脚部４が嵌合自在な嵌合凹部８が設けられていることを特徴とする。
【００１２】
請求項６に記載した考案の果実搾り器は、前記請求項１又は５に記載した山形状の搾り部２について、全体が円錐形状に形成され、その外周面２０に設けられた突起３が、頂部２１から下方に断続的に複数設けられ、各突起３は同じ円周方向を向いて緩やかに湾曲して形成されていることを特徴とする。
【００１３】
請求項７に記載した考案の果実搾り器は、前記請求項１又は５又は６に記した搾り部２の突起３が、当該搾り部２の外周面２０において、高さを異にする上段ゾーンａ・中段ゾーンｂ・下段ゾーンｃの各範囲で、それぞれ複数設けられていることを特徴とする。
【考案の効果】
【００１４】
本考案の請求項１に係る果実搾り器は、果汁受け皿部の下底面に果汁の滴下用通孔が設けられており、コップ等の容器の上に載置した果汁受け皿部の前記滴下用通孔を通じて、その上の搾り部で搾り出された果実の果汁が前記容器内に直接滴下自在に構成されているので、搾った果汁をそのまま下の容器に滴下でき使い勝手に優れている。
【００１５】
また、請求項２のように、果汁受け皿部の下底面中央で下方に突き出た膨出部の下底面に滴下用通孔が複数設けられ、前記滴下用通孔を含む膨出部を下方から着脱自在なキャップが設けられているため、容器の上に本果実搾り器を載置しないで使用する場合は、このキャップを取り付けた状態で果汁受け皿部をテーブル上に固定し、搾り部を使って果実を押圧回転して果汁をこぼすことなく確実に搾り出すことができる。
このキャップはシリコーンゴム製で成るため（請求項４）、果汁受け皿部をテーブル上でしっかり固定した状態が確保される。
【００１６】
しかも、前記果汁受け皿部の膨出部は、載置される容器の上部開口に納まる大きさの円筒状に形成されているので（請求項３）、難なくスムーズにコップ等の容器の上にこの果実搾り器を載置できる。その際、請求項４のように、果汁受け皿部の膨出部の外周部位で、載置される容器の上部開口に当接する部位がシリコーンゴム製のリング状の滑り止め体で成るため、容器の上でのしっかりした固定状態の万全に期されている。
【００１７】
この果実搾り器をなす搾り部と果汁受け皿部を別部材で構成し、搾り部の下部に脚部を複数設けると共に、果汁受け皿部に前記搾り部の脚部が嵌合自在な嵌合凹部を設けて実施すれば（請求項５）、搾り部と果汁受け皿部両部材の洗浄と保管を容易に行える利便性と衛生上に優れている。
【００１８】
前記山形状の搾り部は全体が円錐形状に形成され、その外周面に設けられた突起が頂部から下方に断続的に複数設けられ、各突起は同じ円周方向を向いて緩やかに湾曲して形成されているので（請求項６）、半割りにした果実を効率よく簡単かつ確実に搾り出せる。この搾り部の突起を、当該搾り部の外周面において、高さを異にする上段ゾーン・中段ゾーン・下段ゾーンの各範囲で、それぞれ複数設けて実施すれば（請求項７）、半割り状態の果実が当該突起へ様々に当接し、万全な果汁の搾り出しに寄与する。
【図面の簡単な説明】
【００１９】
【図１】Ａ、Ｂ、Ｃは、本考案の果実搾り器を示した平面図（Ａ）、正面図（Ｂ）、底面図（Ｃ）である。
【図２】果実搾り器を分解して示した斜視図である。
【図３】果汁受け皿部の端面説明図である。
【図４】Ａ、Ｂは、搾り部の上方斜視図と下方斜視図である。
【図５】容器上での果実搾り器の使用状態を示した説明図である。
【図６】Ａ、Ｂは、テーブル上での果実搾り器の使用状態を示した説明図である。
【考案を実施するための最良の形態】
【００２０】
本考案の果実搾り器の好適な実施形態について、以下図面にしたがいながら説明する。家庭やレストラン等で、半割り状態にしたグレープフルーツやレモン、オレンジ等の柑橘系の果実１の果汁１０を効率よく搾り出すことは勿論、コップ（グラス、カップ）類の容器１１の上に載置した状態で果実の果汁を搾り、そのまま下の容器にその果汁を滴下するこができるものである。
【００２１】
図１と図２に示した当該果実搾り器は、大別して果実１を搾る突起３が外周面２０に設けられた山形状の搾り部２と、その搾り部２によって搾り出された果実１の果汁１０を直下で受容する果汁受け皿部５とで構成されている。但し、搾り部２と果汁受け皿部５を一体化した実施形態も採用可能である（説明は省略）。
【００２２】
まず、図４に示した搾り部２について説明する。この搾り部２はコポリエステル樹脂製で全体形状が山形状をなしている。本実施形態では、上部先端が尖った頂部２１を有する円錐形状に形成されている。当該円錐形状の搾り部２の高さは約６５ｍｍ、最大幅寸（φ）は約１１０ｍｍである。
この搾り部２の外周面２０に、半割り状の果実１を内側から当接回転させてその果汁１０を搾る突起３が、前記頂部２１から下方に断続的に複数設けられている（図４Ａ、図１Ａ、Ｂ参照）。各突起３は、同じ円周方向（本実施形態では反時計回り）を向いて、緩やかに湾曲して形成されている。具体的には、当該搾り部２の外周面２０において、高さを異にする上段ゾーンａ・中段ゾーンｂ・下段ゾーンｃの大きく３つに分かれた各範囲（エリア）で、それぞれ複数設けられている。
【００２３】
また、この搾り部２の下部には、図４Ｂに示したように、脚部４が３つ設けられている。これに対応して、後述する果汁受け皿部５には、前記搾り部２の脚部４が嵌合自在な嵌合凹部８が３つ設けられている（図２参照）。但し、脚部４と嵌合凹部８の数はこの３つに限定されるものではない。
【００２４】
次に、果汁受け皿部５について説明する。この果汁受け皿部５もコポリエステル樹脂製で成り、前記搾り部２の直下位置に着脱自在に連結され、前記搾り部２で搾り出された果実１の果汁１０を、一時的に貯留するか、又は下方のコップ（容器）１１に直接滴下させるために供される。
全体形状は、図１〜図３に示したように、皿状に形成されている。その皿状の果汁受け皿部５の高さは約４８ｍｍ、図１Ａの注出口５１を含む最大直径（φ）は１５０ｍｍ、注出口５１を除く直径（φ）は１４５ｍｍである。当該果汁受け皿部５の下底面６０の中央は、下方に突き出た膨出部６に形成されている。膨出部６は、載置される容器１１の上部開口１２に納まる大きさの円筒状に形成されている。その高さは約１７ｍｍ、その直径（φ）は６０ｍｍである。当該膨出部６の下底面６０に、図３に示した如く、φ＝４ｍｍの滴下用通孔７が複数設けられている（図２、図１Ｃ参照）。
また、前記滴下用通孔７を含む膨出部６を下方から着脱自在なシリコーンゴム製のキャップ９が設けられている。このシリコーンゴム製キャップ９の高さは約１３ｍｍ、その直径（φ）は６６ｍｍである。
【００２５】
さらに、図２に分解して示した当該果汁受け皿部５の下面に、薄いシリコーンゴム製のリング状の滑り止め体５０が設けられている。このリング状の滑り止め体５０は、直径（φ）が約９８ｍｍであって、φ＝６０ｍｍの中心部分が切除されたリング状に形成され、前記膨出部６の外周部位で、載置される容器１１の上部開口１２に当接する果汁受け皿部５の下面部位に設けられている（図３参照）。
したがって、本考案の果実搾り器は、脚部４と、同脚部４が嵌合して着脱自在な嵌合凹部８を介して、搾り部２が果汁受け皿部５に嵌合されて通常使用される。その最大高さは約１０５ｍｍで、搾り部２が果汁受け皿部５の上端縁から上方に突き出た高さは約５７ｍｍである。洗浄するときは、搾り部２を果汁受け皿部５から上方に取り外し、とりわけ果汁受け皿部５の膨出部６を綺麗に洗うことができる。
【００２６】
この果実搾り器の使用例について説明する。大別して以下２パターンの実施例がある。
＜第１実施例＞
図５は、コップ等の容器１１の上に本果実搾り器を載置して使用する実施例を示している。
果汁受け皿部５の膨出部６に通常被さっているキャップ９を取り外し、コップ１１の上に載置する。そのとき、果汁受け皿部５のシリコーンゴム製の滑り止め体５０によって、本果実搾り器はしっかりとコップ１１上に固定される。一方、半分に切った半割り状態のグレープフルーツ等の果実１の中央を、搾り部２の頂部２１に当接し、この果実１を突起３に押し当てながら左右に回すと、簡単に果汁１０を絞り出すことができる。その際、他方の手でコップ１１をしっかりと掴んで位置決め固定しながら行う。
搾り出された前記果汁１０は、直下の果汁受け皿部５で一旦受容された後、下方の膨出部６へと流入し、同膨出部６の複数の滴下用通孔７を通じてそのまま下方のコップ１１へと滴下される。
なお、本実施例におけるコップ等の容器１１の適応サイズは、内径が６４ｍｍ以上、外径が９５ｍｍ以内であることが好ましい。
【００２７】
＜第２実施例＞
図６は、テーブル等の上に本果実搾り器を載置して使用する実施例を示している。
図６Ａに示したように、果汁受け皿部５の膨出部６にキャップ９を装着し、テーブル等の平たい面の上に果実搾り器を置く。前記キャップ９はシリコーンゴム製なので本果実搾り器はしっかりと固定される。そして、半分に切った半割り状の果実１の中央を、前記同様に搾り部２の頂部２１に当接し、当該果実１を突起３に押し当てながら左右に回すと、簡単に果汁１０を絞り出すことができる。その際、他方の手で果汁受け皿部５の縁を掴んで位置決め固定しながら行う。
搾り出された前記果汁１０は、やはり下の果汁受け皿部５で受容された後、膨出部６へと流入し、同膨出部６内に貯留する。前記膨出部６に貯留した果汁１０をコップ等の容器１１に注ぐには、図６Ｂに示したように、搾り部２と果汁受け皿部５を手指で挟んで持ち傾ければよい。
なお、大きめの果実１を搾るときには、搾り部２の外周面２０（突起３）に対し、指先で果実１の内側に押し込むようにし、かつ果実１を左右方向に交互に回転させるときれいに果汁１０を絞り出せる（図６Ａ参照）。
【００２８】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００２９】
１      果実
１０    果汁
１１    容器（コップ）
１２    上部開口
２      搾り部
２０    外周面
２１    頂部
３      突起
４      脚部
５      果汁受け皿部
５０    滑り止め体
６      膨出部
６０    下底面
７      滴下用通孔
８      嵌合凹部
９      キャップ
ａ      上段ゾーン
ｂ      中段ゾーン
ｃ      下段ゾーン
【図１】
0003220207.tif 000003
【図２】
0003220207.tif 000004
【図３】
0003220207.tif 000005
【図４】
0003220207.tif 000006
【図５】
0003220207.tif 000007
【図６】
0003220207.tif 000008